(57)【要約】【課題】眼鏡部品とレンズとの連結が確実且つ容易で、調整作業を必要としないか、必要な場合にも簡単にできるリムレス眼鏡を提供する。【解決手段】ヨロイ側およびブリッジ側の外周部近傍にそれぞれ長孔（１１２）が穿設された左右のレンズ（１１０）と、テンプル（１４０）にヒンジ（１５０）を介して連結されるヨロイ部材（１２０）およびブリッジ部材（１３０）を含む眼鏡部品とを備えるリムレス眼鏡（１００）であって、眼鏡部品のレンズ（１１０）との連結側端部には、レンズの長孔１１２への挿入時に閉じられ、挿通後にレンズの表面側に係合する突起（１２４Ｃ、１３４Ｃ）を先端に有する、弾性の二股脚部（１２４，１３４）が形成されている。そして、二股脚部（１２４，１３４）の両脚部間に、閉じ方向への移動を防ぐべく接着剤が注入される。【選択図】図１
2008164646.tif 000002
【特許請求の範囲】
【請求項１】
ヨロイ側およびブリッジ側の外周部近傍にそれぞれ長孔が穿設された左右のレンズと、テンプルにヒンジを介して連結されるヨロイ部材およびブリッジ部材を含む眼鏡部品と、を備えるリムレス眼鏡であって、
前記眼鏡部品の前記レンズとの連結側端部には、前記レンズの前記長孔への挿入時に閉じられ、挿通後に前記レンズの表面側に係合する突起を先端に有する、弾性の二股脚部が形成されていることを特徴とするリムレス眼鏡。
【請求項２】
前記長孔は、一定の幅の平行部と両端に該幅の半分の半径の半円部とを有し、前記二股脚部のそれぞれは前記平行部の幅より僅かに小さい厚みを有する断面矩形状に形成されていることを特徴とする請求項１に記載のリムレス眼鏡。
【請求項３】
さらに、前記眼鏡部品の前記レンズに対する前方への抜けを防止する抜け防止手段が設けられていることを特徴とする請求項１または２に記載のリムレス眼鏡。
【請求項４】
前記抜け防止手段は、前記二股脚部の上下外側面に形成され、前記長孔の半円部内壁に少なくとも一部が係合する突起であることを特徴とする請求項３に記載のリムレス眼鏡。
【請求項５】
前記抜け防止手段は、前記二股脚部の上下外側面に形成された複数の刻み目と、該刻み目に喰い込んで装着されレンズの裏面に当接する弾性のストッパリングであることを特徴とする請求項３に記載のリムレス眼鏡。
【請求項６】
前記二股脚部の両脚部間に、該両脚部の閉じ方向への移動を防ぐ移動防止手段がさらに設けられていることを特徴とする請求項１ないし５のいずれかに記載のリムレス眼鏡。
【請求項７】
前記移動防止手段は、接着剤であることを特徴とする請求項６に記載のリムレス眼鏡。
【請求項８】
左右のレンズのヨロイ側およびブリッジ側の外周部近傍にそれぞれ長孔を穿設し、
テンプルにヒンジを介して連結されるヨロイ部材およびブリッジ部材を含む眼鏡部品であって、前記レンズとの連結側端部に、前記レンズの前記長孔への挿入時に閉じられ、挿通後に前記レンズの表面側に係合する突起を先端に有する、弾性の二股脚部が形成されている眼鏡部品を用意し、
前記弾性の二股脚部を閉じて、前記レンズの前記長孔に挿通させ、
挿通後、前記弾性の二股脚部の先端の前記突起を前記レンズの表面側に係合させ、
前記弾性の二股脚部の両脚部間に、該両脚部の閉じ方向への移動を防ぐ移動防止手段を設ける、
ステップを備えることを特徴とするリムレス眼鏡の組立方法。
【請求項９】
前記移動防止手段は、接着剤であることを特徴とする請求項８に記載のリムレス眼鏡の組立方法。
【発明の詳細な説明】
【技術分野】
【０００１】
本発明は、レンズ外周部を保持するリムのないリムレス眼鏡およびその組立方法に関する。
【背景技術】
【０００２】
従来、かかるリムレス眼鏡としては、例えば、特許文献１に記載のものが知られている。
【０００３】
この特許文献１に記載のリムレス眼鏡は、ヨロイ側およびブリッジ側の外周部近傍にそれぞれ長孔が穿設された左右のレンズと、眼鏡部品として、テンプルにヒンジ部を介して連結されているヨロイ部材およびブリッジ部材を備えている。そして、このヨロイ部材およびブリッジ部材を線材で構成すると共に、それらの端末部に前方向に突出するＵ字状ないしはループ状の湾曲線材部を形成し、このループ状湾曲線材部を上記レンズに穿設した長孔に弾性的に差し込むことにより、ループ状湾曲線材部の弾性力でもって、レンズとヨロイおよびブリッジとを固定的且つ着脱自在に連結するようにしている。
【０００４】
【特許文献１】米国特許第５０７３０２０号明細書
【発明の開示】
【発明が解決しようとする課題】
【０００５】
ところで、一般に、リムレス眼鏡においては、着用者の視力等に対応して処方された度数のレンズであると共に、着用者の好みに合わせた形状のレンズが決定された後、そのレンズに対し、販売現場等でドリル等の工具を用いて長孔を穿設加工する必要がある。
【０００６】
しかしながら、上述の従来のリムレス眼鏡においては、ブリッジおよびヨロイ等の眼鏡部品とレンズとの連結が、眼鏡部品の端末部に形成されたループ状湾曲線材部をレンズに穿孔された長孔に単に弾性的に差し込むことにより行われているので、例えば、上述の長孔の穿設加工が精度よく行なわれず、その長径が大き過ぎるような場合には、ループ状湾曲線材部の弾性力がレンズの長孔部分に十分に作用せず、レンズの固定が不安定で、大きな外力等が作用した場合には脱落してしまうおそれがあるという問題があった。
【０００７】
また、かかる眼鏡部品は軽量かつ小部品であり、必要な強度を維持するためには、特殊な金属で製作されるのが普通であるが、上述の長孔の穿設加工が精度よく行なわれなかったときに、かかる金属のループ状湾曲線材部の形状を変更して調整するのは厄介であり、ほとんど不可能に近い。
【０００８】
本発明の目的は、かかる従来の問題を解決し、眼鏡部品とレンズとの連結が確実且つ容易で、調整作業を必要としないか、必要な場合にも簡単にできるリムレス眼鏡およびその組立方法を提供することにある。
【課題を解決するための手段】
【０００９】
上記目的を達成する本発明の一形態に係るリムレス眼鏡は、ヨロイ側およびブリッジ側の外周部近傍にそれぞれ長孔が穿設された左右のレンズと、テンプルにヒンジを介して連結されるヨロイ部材およびブリッジ部材を含む眼鏡部品と、を備えるリムレス眼鏡であって、前記眼鏡部品の前記レンズとの連結側端部には、前記レンズの前記長孔への挿入時に閉じられ、挿通後に前記レンズの表面側に係合する突起を先端に有する、弾性の二股脚部が形成されていることを特徴とする。
【００１０】
この形態によれば、眼鏡部品のレンズとの連結側端部に形成された弾性の二股脚部が閉じられてレンズの長孔へ挿入され、そして、挿通後に、その先端の突起がレンズの表面側に係合される。従って、長孔の穿設加工が精度よく行なわれなかったときでも、二股脚部の弾性作用により調節されるので、確実且つ容易にレンズと眼鏡部品との連結が行なわれる。
【００１１】
ここで、前記長孔は一定の幅の平行部と両端に該幅の半分の半径の半円部とを有し、前記二股脚部のそれぞれは前記平行部の幅より僅かに小さい厚みを有する断面矩形状に形成されていることが好ましい。
【００１２】
この形態によれば、レンズ長孔の平行部と断面矩形状の二股脚部とが左右方向に隙間無く係合されるので、ガタツキ無く確実に連結される。しかも、断面矩形状のため、強度上厚みを薄くできるので、眼鏡正面から見たとき、眼鏡部品を目立たなくすることができる。
【００１３】
さらに、前記眼鏡部品の前記レンズに対する前方への抜けを防止する抜け防止手段が設けられていることが好ましい。
【００１４】
この形態によれば、眼鏡部品のレンズに対する前方への抜けが防止されるので、より安全なリムレス眼鏡を得ることができる。
【００１５】
なお、前記抜け防止手段は、前記二股脚部の上下外側面に形成され、前記長孔の半円部内壁に少なくとも一部が係合する突起であってもよい。
【００１６】
この形態によれば、仮に、眼鏡部品がレンズに対して前方向に抜けるような力が加えられたとしても、突起の少なくとも一部が長孔の半円部内壁に係合しているので、外部から目立つことなく、眼鏡部品の前方向への抜けも確実に防止される。
【００１７】
また、前記抜け防止手段は、前記二股脚部の上下外側面に形成された複数の刻み目と、該刻み目に喰い込んで装着されレンズの裏面に当接する弾性のストッパリングであってもよい。
【００１８】
この形態によれば、眼鏡部品の前方向への抜けが確実に防止されると共に、そのストッパリングの色を種々設定することで、ファッション性に優れたリムレス眼鏡を得ることができる。
【００１９】
さらに、前記二股脚部の両脚部間に、該両脚部の閉じ方向への移動を防ぐ移動防止手段がさらに設けられてもよい。
【００２０】
この形態によれば、先端の突起がレンズの表面側に係合している二股脚部の閉じ方向への移動が確実に防止されるので、仮に、眼鏡部品やレンズに外力が作用したとしても、眼鏡部品のレンズからの外れが防止される。
【００２１】
上記目的を達成する本発明の他の形態に係るリムレス眼鏡の組立方法は、左右のレンズのヨロイ側およびブリッジ側の外周部近傍にそれぞれ長孔を穿設し、
テンプルにヒンジを介して連結されるヨロイ部材およびブリッジ部材を含む眼鏡部品であって、前記レンズとの連結側端部に、前記レンズの前記長孔への挿入時に閉じられ、挿通後に前記レンズの表面側に係合する突起を先端に有する、弾性の二股脚部が形成されている眼鏡部品を用意し、前記弾性の二股脚部を閉じて、前記レンズの前記長孔に挿通させ、挿通後、前記弾性の二股脚部の先端の前記突起を前記レンズの表面側に係合させ、前記弾性の二股脚部の両脚部間に、該両脚部の閉じ方向への移動を防ぐ移動防止手段を設ける、ステップを備えることを特徴とする。
【００２２】
この形態によれば、左右のレンズのヨロイ側およびブリッジ側の外周部近傍にそれぞれ長孔が穿設され、眼鏡部品のレンズとの連結側端部に形成された弾性の二股脚部が閉じられてレンズの長孔へ挿入され、そして、挿通後に、その先端の突起がレンズの表面側に係合される。そして、前記弾性の二股脚部の両脚部間に、該両脚部の閉じ方向への移動を防ぐ移動防止手段が設けられる。従って、長孔の穿設加工が精度よく行なわれなかったときでも、二股脚部の弾性作用により調節されるので、確実且つ容易にレンズと眼鏡部品との連結が行なわれる。また、先端の突起がレンズの表面側に係合している二股脚部の閉じ方向への移動が確実に防止されるので、仮に、眼鏡部品やレンズに外力が作用したとしても、眼鏡部品のレンズからの外れが防止される。
【００２３】
なお、前記移動防止手段は、接着剤であってもよい。
【００２４】
この形態によれば、単に接着剤を注入すればよいので、極めて簡単に行なうことができる。
【発明を実施するための最良の形態】
【００２５】
以下、本発明の実施の形態を、添付図面を参照しつつ説明する。なお、本明細書の記述において、「前後」、「左右」および「上下」等の方向を表す表現は、眼鏡が通常の状態で人に装着されているときの方向を表している。
【００２６】
図１（Ａ）ないし（Ｃ）に示されるように、本発明の一実施の形態に係るリムレス眼鏡１００は、左右のレンズ１１０と、テンプル１４０にヒンジ１５０を介して連結されるヨロイ部材１２０および左右のレンズ１１０を連結するブリッジ部材１３０を含む眼鏡部品とを備えて構成されている。なお、レンズ１１０としては、限定はされないが、良好な加工性の観点からプラスチック製のレンズであることが好ましい。
【００２７】
そして、左右のレンズ１１０には、そのヨロイ側およびブリッジ側の外周部近傍にそれぞれ長孔１１２が穿設されている。この長孔１１２は、例えば、販売現場等において小径のエンドミル等を用いて、それを送りながら穿設加工される。その結果、図２および図６（Ｂ）に示すように、長孔１１２は、一定の幅２Ａを有する平行部１１２Ａとその両端に該幅の半分の半径Ａの半円部１１２Ｂとを有して形成されている。
【００２８】
一方、ヨロイ部材１２０は、図３（Ａ）ないし（Ｃ）に詳細に示すように、本実施の形態では金属線材（例えば、ステンレス鋼、ニッケル・クロム合金、ニッケル・チタン合金等の弾性材）から形成され、その一端部には後述するヒンジ１５０が接合等により設けられている。そして、該ヒンジ１５０を介してテンプル１４０が連結されている。なお、このヒンジ１５０を設けることなく、テンプル１４０をヨロイ部材１２０と一体的に形成してもよい。
【００２９】
ここで、ヨロイ部材１２０には、その中央部に微調整用にＳ字状の湾曲部１２２が形成されていると共に、ヒンジ１５０と逆側の端部、すなわち、レンズ１１０との連結側端部には、レンズ１１０の長孔１１２への挿入時に閉じられ、挿通後にレンズ１１０の表面側に係合する後述の突起１２４Ｃを先端に有する、弾性の二股脚部１２４がプレス成形等により形成されている。この弾性の二股脚部１２４は、図５に詳細に示すように、それぞれほぼ平行な両脚部１２４Ａ、１２４Ａの間に、該両脚部１２４Ａ、１２４Ａの閉じ方向への移動を許容すべく、隙間１２４Ｂを有している。この二股脚部１２４のそれぞれの脚部１２４Ａ、１２４Ａは、図６（Ｂ）に示すように、前述のレンズ１１０における長孔１１２の平行部１１２Ａの幅２Ａと、挿入を阻害しない程度に、ほぼ等しいか僅かに小さい厚みを有する断面矩形状に形成されている。
【００３０】
そして、両脚部１２４Ａ、１２４Ａの先端には、それらの上外側および下外側にそれぞれ突出する鏃形態で前述の突起１２４Ｃ、１２４Ｃが形成されると共に、両脚部１２４Ａ、１２４Ａの上外側面および下外側面には、それぞれ、左右方向に延在する形態でかまぼこ型の突起１２４Ｄ、１２４Ｄが形成されている。なお、このかまぼこ型の突起１２４Ｄは、後述するように、少なくともその両端部縁がレンズ１１０における長孔１１２の半円部１１２Ｂの内壁に係合するように形成されている。
【００３１】
次に、ブリッジ部材１３０は、図４（Ａ）ないし（Ｃ）に詳細に示すように、本実施の形態では、一本の金属線材（例えば、ステンレス鋼、チタン合金、ニッケル・クロム合金、ニッケル・チタン合金等の弾性材）から形成されている。そして、レンズ１１０との連結側端部には、ヨロイ部材１２０と同じく、レンズ１１０の長孔１１２への挿入時に閉じられ、挿通後にレンズ１１０の表面側に係合する突起１３４Ｃを先端に有する、弾性の二股脚部１３４がプレス成形等により形成されている。このブリッジ部材１３０の弾性の二股脚部１３４は、上述のヨロイ部材１２０の弾性の二股脚部１２４と同一の構成であり、図５に符号を併記して示すように、それぞれほぼ平行な両脚部１３４Ａ、１３４Ａの間に、該両脚部１３４Ａ、１３４Ａの閉じ方向への移動を許容すべく、隙間１３４Ｂを有している。この二股脚部１３４のそれぞれの脚部１３４Ａ、１３４Ａは、前述のレンズ１１０における長孔１１２の平行部１１２Ａの幅２Ａと、挿入を阻害しない程度に、ほぼ等しいか僅かに小さい厚みを有する断面矩形状に形成されている。
【００３２】
そして、両脚部１３４Ａ、１３４Ａの先端には、それらの上下外側に突出する形態で前述の突起１３４Ｃ、１３４Ｃが形成されると共に、両脚部１３４Ａ、１３４Ａの上下外側面には、それぞれ、左右方向に延在する形態でかまぼこ型の突起１３４Ｄが形成されている。なお、このかまぼこ型の突起１３４Ｄは、後述するように、少なくともその両端部縁がレンズ１１０における長孔１１２の半円部１１２Ｂの内壁に係合するように形成されている。
【００３３】
なお、ブリッジ部材１３０には、図示は省略したが、適宜な形態の鼻当てパッドが取り付けられる。
【００３４】
ここで、レンズ１１０の長孔１１２は、その長軸方向が眼鏡の前方から見て上下方向に延在しており、ヨロイ部材１２０の二股脚部１２４およびブリッジ部材１３０の二股脚部１３４は、それぞれ、図１、図３および図４から明らかなように、眼鏡の前方から見てほぼ先端面のみが見えるように、前方に突出する形態に形成されている。
【００３５】
さらに、ヒンジ１５０を簡単に説明するに、本実施の形態においては、ヒンジ１５０が中央にネジ孔が形成された上下二股のソケット部材１５２と、金属線材（例えば、チタン合金、ニッケル・クロム合金、ニッケル・チタン合金等の弾性材）からなるテンプル１４０の端部に設けられ、中央に挿通孔が形成された挿通片１４２（図１（Ｃ）参照）との組合せにより構成されている。より詳しくは、二股のソケット部材１５２の間に挿通片１４２が挿入された後、ネジ１５４が上下のネジ孔および挿通孔に装着されて、ヒンジ１５０が構成されている。なお、ヒンジ１５０の形態はどのようなものであってもかまわず、前述のように、無くてもよい。
【００３６】
上記本発明の一実施の形態にあっては、次の手順によりリムレス眼鏡１００が組立られて、完成されることになる。
【００３７】
まず、着用者用に処方且つ選定された左右のレンズ１１０に対し、そのヨロイ側およびブリッジ側の外周部近傍に、それぞれ、エンドミル等を用いて、平行部１１２Ａと両端に半円部１１２Ｂを有する長孔１１２が穿設される。
【００３８】
そして、図７（Ａ）に示すように、ヨロイ部材１２０およびブリッジ部材１３０が、それらの弾性の二股脚部１２４および１３４のそれぞれの隙間１２４Ｂおよび１３４Ｂが閉じられて、これらのレンズ１１０の長孔１１２に対して後方から挿入される。なお、この挿入時における、隙間１２４Ｂが閉じられた状態の両突起１２４Ｃ、１２４Ｃの両端間の距離、および隙間１３４Ｂが閉じられた状態の両突起１３４Ｃ、１３４Ｃの両端間の距離は、長孔１１２の長軸方向の距離よりも小さくなるように、突起１２４Ｃおよび突起１３４Ｃの大きさが設定されるべきことは云うまでもない。
【００３９】
そこで、ヨロイ部材１２０およびブリッジ部材１３０の弾性の二股脚部１２４および１３４がレンズ１１０の長孔１１２に挿入され、突起１２４Ｃ、１２４Ｃおよび突起１３４Ｃ、１３４Ｃが長孔１１２を挿通すると、図７（Ｂ）に示すように、弾性の二股脚部１２４および１３４の両脚部１２４Ａ、１２４Ａおよび１３４Ａ、１３４Ａが、それぞれの弾性により元の状態に拡開され、先端の突起１２４Ｃ、１２４Ｃおよび突起１３４Ｃ、１３４Ｃがレンズ１１０の表面側に係合される。このとき同時に、両脚部１２４Ａ、１２４Ａおよび１３４Ａ、１３４Ａの上外側面および下外側面に形成されているかまぼこ型の突起１２４Ｄ、１２４Ｄおよび１３４Ｄ、１３４Ｄは、図６（Ａ）および（Ｂ）に示すように、少なくともその両端部の円弧縁がレンズ１１０における長孔１１２の半円部１１２Ｂの内壁に係合する。
【００４０】
そして、それぞれの弾性によりほぼ元の状態に拡開された二股脚部１２４および１３４の両脚部１２４Ａ、１２４Ａおよび１３４Ａ、１３４Ａの間の隙間１２４Ｂおよび１３４Ｂに、図７（Ｃ）に示すように、両脚部１２４Ａ、１２４Ａおよび１３４Ａ、１３４Ａの閉じ方向への移動を防ぐ移動防止手段としての接着剤Ｓが注入される。なお、この接着剤に代え、他の樹脂部材を隙間１２４Ｂおよび１３４Ｂに圧入するようにしてもよい。
【００４１】
かくて、接着剤Ｓが硬化した後は、両脚部１２４Ａ、１２４Ａおよび１３４Ａ、１３４Ａの閉じ方向への移動が完全に防止され、ヨロイ部材１２０がレンズ１１０に固着されて連結されると共に、ブリッジ部材１３０もレンズ１１０に固着されて連結され、同時に、左右のレンズ１１０を確実に連結することになる。
【００４２】
このようにして、組立てられた本実施の形態に係る眼鏡１００は、左右のレンズ１１０に対し、ヨロイ部材１２０またはブリッジ部材１３０が後方に引き抜かれるような力が作用した場合には、レンズ１１０の表面側に係合されている先端の突起１２４Ｃ、１２４Ｃおよび突起１３４Ｃ、１３４Ｃにより、その抜けが確実に防止される。また、ヨロイ部材１２０またはブリッジ部材１３０が前方に引き抜かれる、ないしは、押し出されるような力が作用した場合には、レンズ１１０における長孔１１２の半円部１１２Ｂの内壁にその両端部の円弧縁が係合されている突起１２４Ｄ、１２４Ｄおよび１３４Ｄ、１３４Ｄにより、その抜け、ないしは、押出が確実に防止されることになる。
【００４３】
なお、長孔１１２の穿設加工が精度よく行なわれなかったとき、例えば、その長軸方向の寸法がやや大きめであったような場合でも、二股脚部１２４および１３４の両脚部１２４Ａ、１２４Ａおよび１３４Ａ、１３４Ａの弾性作用により調節されるので、確実且つ容易にレンズと眼鏡部品との連結が行なわれる。また、この弾性作用のみでは十分な係合状態が得られないときには、隙間１２４Ｂおよび１３４Ｂにドライバー等の工具を差し込み、両脚部１２４Ａ、１２４Ａおよび１３４Ａ、１３４Ａを拡開させ、その後に、閉じ方向への移動を防ぐべく接着剤Ｓを注入することにより、容易に調整作業が行なわれ得る。
【００４４】
ところで、上述した実施の形態に係るリムレス眼鏡は、通常、ダミーのレンズに眼鏡部品が付けられた状態で展示され、その後、実際のレンズに付け替えられる。また、実際のレンズに付けられた後でも、眼鏡部品の色等が装着者の好みに合わないような場合には、他の色の眼鏡部品に交換できることが好ましい。このような場合には、レンズから眼鏡部品を取外すことが必要とされる。
【００４５】
そこで、図８に、かかる眼鏡部品の取外しを容易に行なうことが可能な取外し工具の一例を示す。取外し工具２００は、略直方体状の基本形状を有し、基端側に握持部２１０を、末端側に作用部２２０を有している。そして、該作用部２２０は二股の腕部２２０Ａ、２２０Ａを有し、腕部２２０Ａの末端側内方には傾斜面２２０Ｂが形成されている。この傾斜面２２０Ｂは、眼鏡部品であるヨロイ部材１２０およびブリッジ部材１３０の弾性の二股脚部１２４および１３４における、鏃状の先端の突起１２４Ｃ、１２４Ｃおよび突起１３４Ｃ、１３４Ｃに当接し、後述するように、押圧されたとき、弾性の二股脚部１２４および１３４のそれぞれの隙間１２４Ｂおよび１３４Ｂを閉じ得る寸法ないしは角度に設定されている。
【００４６】
そこで、上述のように、レンズから眼鏡部品を取外すことが必要となったときの取外し手順を、図９（Ａ）ないし（Ｃ）を参照して説明する。なお、この取外しは接着剤Ｓの注入前に行なわれることは言うまでもない。
【００４７】
ここで、代表的にヨロイ部材１２０を取外す場合を説明する。まず、取外し工具２００の作用部２２０が、図９（Ａ）に示すように、レンズ１１０の表面側からヨロイ部材１２０の弾性の二股脚部１２４における先端の突起１２４Ｃ、１２４Ｃに向き合うようにして、取外し工具２００を押付ける。そして、傾斜面２２０Ｂ、２２０Ｂを鏃状の突起１２４Ｃ、１２４Ｃの外側湾曲面に当接させて、さらに、取外し工具２００を押付けると、図９（Ｂ）に示すように、弾性の二股脚部１２４はその隙間１２４Ｂを閉じる方向に押圧される。すると、両突起１２４Ｃ、１２４Ｃの両端間の距離が、長孔１１２の長軸方向の距離よりも小さくなり、図９（Ｃ）に示すように、ヨロイ部材１２０が容易にレンズ１１０から取外される。なお、上記説明は、ブリッジ部材１３０の場合にも同様に適用される。
【００４８】
次に、本発明の他の実施形態の二つの態様を、それぞれ、図１０および図１１を参照して説明する。前実施形態では、眼鏡部品であるヨロイ部材１２０またはブリッジ部材１３０が前方に引き抜かれる、ないしは、押し出されるような力が作用した場合に、その抜け、ないしは、押出を防止するために、両脚部１２４Ａ、１２４Ａおよび１３４Ａ、１３４Ａの上外側面および下外側面にかまぼこ型の突起１２４Ｄ、１２４Ｄおよび１３４Ｄ、１３４Ｄを形成するようにしたが、本他の実施形態は、前実施形態の構成に加えて、または、その構成に代えて、その抜け、ないしは、押出を防止する手段を講じたものである。なお、以下の説明では、眼鏡部品として代表的にヨロイ部材１２０につき説明するが、ブリッジ部材１３０の場合も同様である。
【００４９】
ここで、図１０に示される他の実施形態の第一の態様では、前実施形態の構成に加えて、抜け、ないしは、押出防止手段が設けられている。すなわち、この第一の態様においては、ヨロイ部材１２０の二股脚部１２４のそれぞれの脚部１２４Ａ、１２４Ａの上外側面および下外側面で、かまぼこ型の突起１２４Ｄ、１２４Ｄに加えて、両脚部１２４Ａ、１２４Ａの股部近傍に、それぞれ、複数の刻み目１２４Ｅが形成されている。同時に、ストッパリング１６０が設けられている。このストッパリング１６０は、弾性を有する樹脂、ゴム等から作成されており、その弾力および周囲長が、二股脚部１２４のそれぞれの脚部１２４Ａ、１２４Ａの隙間１２４Ｂを狭めることなく、刻み目１２４Ｅに喰い込む程度に、設定されている。
【００５０】
このストッパリング１６０は、リムレス眼鏡の組立の際、ヨロイ部材１２０をレンズ１１０の長孔１１２に挿入する前に、図１０（Ｂ）に示すように、予め弾性の二股脚部１２４に装着させておいても、挿入後に装着させてもよい。但し、挿入後に装着させる場合は、ヒンジ１５０等を通過させる必要があるので、挿入前に二股脚部１２４の先端側から装着するのが簡単である。
【００５１】
かくて、この他の実施形態の第一の態様においては、図１０（Ｃ）に示すように、レンズ１１０の裏面に当接すべくストッパリング１６０が装着された状態で、ヨロイ部材１２０が前方に引き抜かれる、ないしは、押し出されるような力が作用した場合、ストッパリング１６０は刻み目１２４Ｅ、１２４Ｅに喰い込んで、レンズ１１０裏面に当接しており、かまぼこ型の突起１２４Ｄ、１２４Ｄと相俟って、その抜け、ないしは、押出が確実に防止されるのである。
【００５２】
また、図１１に示される他の実施形態の第二の態様では、前実施形態の構成に代えて、抜け、ないしは、押出防止手段が設けられている。すなわち、この第二の態様においては、ヨロイ部材１２０の二股脚部１２４のそれぞれの脚部１２４Ａ、１２４Ａの上外側面および下外側面のかまぼこ型の突起１２４Ｄ、１２４Ｄに代えて、両脚部１２４Ａ、１２４Ａの股部近傍に、それぞれ、複数の刻み目１２４Ｅが形成されている。同時に、上述のストッパリング１６０が設けられている。従って、第一の態様と第二の態様の相違点は、かまぼこ型の突起１２４Ｄが存在するか否かのみであるから、第一の態様の説明を援用し、重複説明を回避する。この第二の態様でも、第一の態様に比べ抜け防止効果は若干劣るが、かまぼこ型の突起１２４Ｄ、１２４Ｄを設ける必要がないので、簡単にできる。
【００５３】
なお、上述のストッパリング１６０は、その色を種々設定することで、ファッション性に優れたリムレス眼鏡１００を得ることに貢献することができる。
【図面の簡単な説明】
【００５４】
【図１】本発明の一実施の形態に係るリムレス眼鏡を示し、（Ａ）は平面図、（Ｂ）は正面図、（Ｃ）は側面図である。
【図２】本発明の一実施の形態に係るリムレス眼鏡のレンズへの穿設態様を示す斜視図である。
【図３】本発明の一実施の形態に係るリムレス眼鏡のヨロイ部材を示し、（Ａ）は平面図、（Ｂ）は正面図、（Ｃ）は側面図である。
【図４】本発明の一実施の形態に係るリムレス眼鏡のブリッジ部材を示し、（Ａ）は平面図、（Ｂ）は正面図、（Ｃ）は側面図である。
【図５】本発明の一実施の形態に係るリムレス眼鏡のヨロイ部材およびブリッジ部材の二股脚部の構成例を示す斜視図である。
【図６】本発明の一実施の形態に係るリムレス眼鏡のヨロイ部材またはブリッジ部材の二股脚部とレンズとの連結状態を示し、（Ａ）および（Ｂ）は、それぞれ、一方のＶＩＡ−ＶＩＡ線およびＶＩＢ−ＶＩＢ線における断面図である。
【図７】本発明の一実施の形態に係るリムレス眼鏡の組立手順を説明するための側断面図であり、（Ａ）は挿入前、（Ｂ）は挿通後、および（Ｃ）は接着剤注入後の状態である。
【図８】本発明の一実施の形態に係るリムレス眼鏡における眼鏡部品の取外し工具の一例を示す斜視図である。
【図９】取外し工具を用いて、眼鏡部品を取外す手順を説明するための側断面図であり、（Ａ）は当接前、（Ｂ）は押圧時、および（Ｃ）は取外し後の状態である。
【図１０】本発明の他の実施形態に係る抜け防止手段を備えたヨロイ部材およびストッパリングの第一の態様を示し、（Ａ）は斜視図、（Ｂ）は側面図、（Ｃ）は側断面図である。
【図１１】本発明の他の実施形態に係る抜け防止手段を備えたヨロイ部材およびストッパリングの第二の態様を示し、（Ａ）は斜視図、（Ｂ）は側面図、（Ｃ）は側断面図である。
【符号の説明】
【００５５】
１００    リムレス眼鏡
１１０    レンズ
１１２    長孔
１１２Ａ    平行部
１１２Ｂ    半円部
１２０    ヨロイ部材
１２４    二股脚部
１２４Ａ    脚部
１２４Ｂ    隙間
１２４Ｃ    突起（鏃型）
１２４Ｄ    突起（かまぼこ型）
１２４Ｅ    刻み目
１３０    ブリッジ部材
１３４    二股脚部
１３４Ａ    脚部
１３４Ｂ    隙間
１３４Ｃ    突起（鏃型）
１３４Ｄ    突起（かまぼこ型）
１４０    テンプル
１５０    ヒンジ
１６０    ストッパリング
２００    取外し工具
Ｓ    接着剤
【図１】
2008164646.tif 000003
【図２】
2008164646.tif 000004
【図３】
2008164646.tif 000005
【図４】
2008164646.tif 000006
【図５】
2008164646.tif 000007
【図６】
2008164646.tif 000008
【図７】
2008164646.tif 000009
【図８】
2008164646.tif 000010
【図９】
2008164646.tif 000011
【図１０】
2008164646.tif 000012
【図１１】
2008164646.tif 000013